Podtech/llm-jp-corpus-v4-ja_patent huggingface dataset:
(57)【要約】【課題】簡易な構成で内部に侵入した水滴等を排水することができるコードレスラジオを提供すること。【解決手段】上記課題を解決するための手段は、バッテリー接続部1の上方の側壁3に、最頂部4から下部8に向かって傾斜面5を有する連続した凸部6を配設するものである。【選択図】図１
2010206242.tif 000002
【特許請求の範囲】
【請求項１】
バッテリーを電源とするコードレスラジオにおいて、バッテリー接続部の上方の側壁に、最頂部から下方に向かって傾斜面を有する連続した凸部を配したことを特徴とするコードレスラジオ。
【請求項２】
請求項１のコードレスラジオにおいて、バッテリー接続部の両側下部に凹部を設け、該凹部の端部に傾斜面を配設し、該傾斜面の最下部が外枠の隙間部近傍に位置するように配設したことを特徴とするコードレスラジオ。
【発明の詳細な説明】
【技術分野】
【０００１】
本発明は、コードレスラジオの排水構造に関する。
【背景技術】
【０００２】
従来のコードレスラジオを、図4に示す。図4は、バッテリー収納カバー7を開いた状態の斜視図である。図4において、コードレスラジオ内部の側壁2に、バッテリー接続部1が配設されている。バッテリー接続部1の上方の側壁3は、単なる平面である。
【先行技術文献】
【特許文献】
【０００３】
【特許文献１】実開平７−０２９９４８号公報
【発明の概要】
【発明が解決しようとする課題】
【０００４】
従来のコードレスラジオでは、バッテリー接続部1の上方の側壁3は、単なる平面であるため、雨水等の水滴が外枠の隙間から侵入した時に、水滴がバッテリー接続部1に落ち、電極部分が腐食しやすくなる。
【０００５】
本発明は、上記事情に鑑みてなされたものであり、その目的は、内部に侵入した水滴等を簡易な構造で外部に排出することができるコードレスラジオの排水構造を提供することである。
【課題を解決するための手段】
【０００６】
上記課題を解決するための手段は、バッテリー接続部の上方の側壁に、最頂部から下方に向かって傾斜面を有する連続した凸部を配するものである。
【発明の効果】
【０００７】
本発明によれば、バッテリー接続部を有する側壁の上部に、最頂部から下方に向かって傾斜面を有する連続した凸部を配設することにより、内部に侵入した水滴等を簡易な構造で外部に排出することができる。
【図面の簡単な説明】
【０００８】
【図１】本発明によるコードレスラジオの一実施形態を示す斜視図
【図２】図1のA部拡大図
【図３】ラジオの内部に浸入した水滴を、ラジオの外部に出す構造の実施形態を示    す斜視図
【図４】従来のコードレスラジオの一例を示す斜視図
【発明を実施するための形態】
【実施例１】
【０００９】
図１、図2、図3により、本発明によるコードレスラジオの一実施形態を説明する。図１、図3は、バッテリー収納カバー7を開いた状態のコードレスラジオの斜視図である。図2は、図1、図3のA部拡大図である。
図1において、コードレスラジオ内部の側壁2には、バッテリー接続部1が配設されている。バッテリー接続部1の上方の側壁3には、最頂部4から傾斜面5の下部8に向かって傾斜面5を有する連続した凸部6・10が、複数個、配設されている。
雨水等の水滴が外枠の隙間から侵入し、側壁3を伝わって落ちてきた時に、水滴は、連続した凸部6の傾斜面5を伝わって、傾斜面5の下部8から落下する。
また、連続した凸部6・10が複数個あるため、仮に、水滴が、最も高い位置の凸部傾斜面5を伝わらず、傾斜面5の横部9から落ち、バッテリー接続部1方向に落下した場合でも、1段下の連続した凸部10の傾斜面11を伝わって、傾斜面11の下部8から落下する。連続した凸部6・10の数が多いほど、上記の効果は大きい。
【００１０】
図3は、傾斜面5から落下した水滴を、ラジオの外部に出す構造の実施例である。バッテリー接続部1の両側には、凹部12が設けられており、凹部12の端部には、傾斜面13が配設されている。傾斜面13の下端部は、外枠の隙間部14の近傍に位置している。
【００１１】
連続した凸部6・10の傾斜面5から落下した水滴は、バッテリー接続部1両側の凹部12に落下する。凹部12に落下した水滴は、凹部12の端部に配設された傾斜面13を伝わって、傾斜面13の下端部の近傍にある外枠の隙間部14からラジオの外部に流れ出る。
【００１２】
以上のように、雨水等の水滴が外枠の隙間から侵入した時に、水滴がバッテリー接続部1に落ちることがなく、電極部分の腐食を防止することができる。
【符号の説明】
【００１３】
1 バッテリー接続部
2 側壁
3 上方の側壁
4 最頂部
5 傾斜面
6 凸部
7 バッテリー収納カバー
8 傾斜面下部
9 傾斜面横部
10 凸部  
11 傾斜面
12 凹部
13 傾斜面
14 隙間部
【図１】
2010206242.tif 000003
【図２】
2010206242.tif 000004
【図３】
2010206242.tif 000005
【図４】
2010206242.tif 000006
(57)【要約】【課題】従来、防犯カメラを設置や増設して映像記録をのこす場合は、そのカメラから録画装置までケーブルで配線するか無線で配信する必要があった。また、録画装置に空き入力端子があればよいが、空き入力端子がない場合は、新たに高価なレコーダーを設置する必要があった。その場合の機器購入費用や設置費用も発生することになる。【解決手段】本発明は、充分な録画容量を持つ取り出し可能半導体記録媒体を使った超小型画像記録装置を鍵付き密閉型防水ボックスに収納し、カメラの直近に設置することで充分な録画記録が得られ、設置も容易にできる装置を提供する。また、記録媒体が半導体メモリーであるため屋外に設置しても筐体に特にブロアーなどの開口対策をする必要がないことを特徴とする。【選択図】図１
2010206764.tif 000002
【特許請求の範囲】
【請求項１】
鍵付き（図１のｅ）密閉型防水ボックス（図１のｂ）の中に、取り出し可能な半導体メモリーで録画する画像記録装置（図１のｃ）を収納し、さらに電源アダプター（図１のｊ）その他安全装置（図１のｋｌ）を収納した自動上書き機能付き録画装置ボックス。
【請求項２】
請求項１の録画装置ボックスは半導体メモリーを記録媒体とするのでブロアーなどで冷却する必要が無く密閉型である。
閉型である。
【請求項３】
請求項１の録画装置ボックスの操作はリモコンで行い、スケジュール録画・アラーム録画・モーション録画も設定ができ、必要な場面だけの録画も可能な構造を持つ装置。
【請求項４】
請求項１の録画装置において、出力端子（図１のｈ）からはモニターテレビに接続してライブ映像・再生映像を見ることもできる構造を持つ装置。
【請求項５】
請求項１の録画装置において、取り出し可能な半導体を取り出して専用ビュアソフトをインストールしたパソコンに接続すると、全録画画像が再生されるがインストールされていないパソコンでは独自拡張子のため見ることはできない構造であり、また、変換機能があり変換した画像はフリーソフトで見ることができる構造を持つ装置。
【発明の詳細な説明】
【技術分野】
【０００１】本発明は、高所に設置する監視カメラの記録装置としてカメラから直近の位置に、半導体メモリーを搭載した映像記録装置を鍵付きの防水ケースに収納し、簡単に録画映像を取りだせるようにした装置である。
【背景技術】
【０００２】近年、半導体メモリーの集積度が上がり、高容量化したため、従来高画質の動画が長時間保存できなかったが、それが可能になり、超小型のデジタルビデオレコーダーが出現するに至った。半導体メモリーは耐環境性や耐振動性に優れ、安価であることから様々な分野で活用することができるが、それを使った防犯用映像録画装置として防犯カメラから直近の位置に周辺電源装置と一緒に収納し、簡単に安価に防犯カメラが設置できる装置を提供できる。
【発明の概要】
【発明が解決しようとする課題】
【０００３】従来、防犯カメラの記録装置は据え置き型のデジタルレコーダーとして高容量ストレージなどを使い、防犯カメラとはケーブルや無線で離れた位置に設置しなければならなく、設置工事や配線設備が必要であった。
仮に本発明のように記録装置を箱に収納したとしても屋外では耐環境性に支障をきたし、夏場には故障の原因となった。
【課題を解決するための手段】
【０００４】取り出し可能な超小型半導体メモリーを搭載したデジタルレコーダーを防水・鍵付きの箱状のケースに収納することにより、電源さえあれば、防犯カメラの直近に設置するだけでケーブルの引き回しも無く、防犯カメラ用記録装置として機能させることができる。また、長時間録画および自動上書き機能およびイベント録画機能を付加して事件事故発生時に即座に検索できる装置とした。
記録媒体が半導体メモリーなので通常の耐熱・耐塵にも影響を受けない構造になる。
【発明の効果】
【０００５】防水・鍵付きの箱状のケースに収納した記録装置で、カメラは自由に選定することができ、また、接続配線も容易になる。録画時間も長時間録画が可能となり自動上書き機能を付加しており放置したままでも、威力を発揮する。スケジュール録画・アラーム録画・モーション録画の設定ができ、必要な場面だけの録画も可能とした。
従来の防犯装置に比較して画期的に安価に効果を得られることになる。
【図面の簡単な説明】
【０００６】
【図１】本装置ボックスの解説図
【発明を実施するための形態】
【０００７】一例として、ポールや壁の高所に取り付けた防犯カメラの映像を直近の下部にこの装置を設置する。録画映像は鍵を開けて半導体メディアを取り出すか直接モニターを接続して確認できる。
この装置には、カメラ用と記録装置用のＡＣ−ＤＣ変換電源アダプターのほか、ブレーカー、雷ガードなどを収納し、安全対策を施す。
【実施例】
【０００８】効果的な設置場所としては、カメラ１台を必要とする場所又は１台を増設したい場所の設置に適しており、駐車場・ゴミ捨て場・裏口・非常口・エレベーター籠内などが適所である。
【符号の説明】
【０００９】〔図１〕
ａ  カメラ
ｂ  映像記録装置ボックス
ｃ  映像記録装置
ｄ  半導体メディア差込口
ｅ  鍵穴
ｆ  入出力端子
ｇ  映像入力
ｈ  映像出力
ｉ  ＡＣ電源入力
ｊ  ＡＣ−ＤＣ変換電源アダプター
ｋ  雷ガード
ｌ  ブレーカー
【図１】
2010206764.tif 000003
(57)【要約】【課題】従来、防犯カメラを設置する場合は天井や壁などにカメラを直接取付け、配線または無線などで映像記録装置に映像を配信していたため、設置費用が発生し、移設も容易ではなかった。【解決手段】取り出し可能半導体記録媒体を使った超小型画像記録装置と超小型カメラをケースの中に収納し一体型にして、電源さえあればどこにでも据え置き又は壁掛けできるようにした。また、装飾を併用することで、インテリアとしても違和感無く受け入れることができるようにしたことを特徴とする。犯罪、事故、誤謬などの証拠取りとして簡単に設置・移動できることを特徴とするカメラ一体型自動記録装置を提供する。【選択図】図１
2010206763.tif 000002
【特許請求の範囲】
【請求項１】
円柱状の筒または半球状または箱型の中（図１のａ）に取り出し可能な半導体メモリー（図１のｅ）で画像・音声を記録する小型録画装置（図１のｄ、図２のｎ）を入れ、さらに音声マイク内蔵の小型カメラ（または集音マイク別収納）（図１のｂｃ、図２のｉｊ）を同じ筒または箱の中に収納した据え置き型あるいは壁面取付け型であることを特徴とする自動上書き録画装置。
【請求項２】
請求項１における装置において、円柱状の筒または半球状または箱型の表面は「防犯カメラ作動中」の文字を入れ（図３）、撮像中である旨を警告するとともに、図柄は設置場所に即した独自の装飾図柄を設定でき、置物としての美観と宣伝効果を狙えるものであり、非常口・立ち入り禁止・禁煙などの警告表示装置としても機能させることができることを特徴とする録画装置。
【請求項３】
請求項１における装置の設置場所は、店舗の棚・ショーケース・レジ周り・金庫周り・受付・営業車の車内・立ち入り禁止ゾーン・エレベーター内など電源が取れる場所であればどこにでも設置でき、工事や設定もまったく必要としない構造を持つことを特徴とする装置。
【請求項４】
請求項１における装置において、その操作はリモコン（図１のｇ）でスケジュール録画・アラーム録画・モーション録画も設定ができ、必要な場面だけの録画も可能な構造を持つことを特徴とする装置。
【請求項５】
請求項１における装置において、出力端子（図２のｌ）からはモニターテレビに接続してライブ映像・再生映像を見ることもできる構造を持つ装置。
【請求項６】
請求項１における装置では、取り出し可能な半導体（図１のｅ）を取り出して専用ビュアソフトをインストールしたパソコンに接続すると、全録画画像が再生されるがインストールされていないパソコンでは独自拡張子のため見ることはできない構造であり、また、変換機能があり変換した画像はフリーソフトで見ることができる構造を持つことを特徴とする装置。
【発明の詳細な説明】
【技術分野】
【０００１】本発明は、監視カメラと記録装置を一体型にして小型の筒または半球状または箱に収納させた据え置き型または壁面取付け型の防犯装置である。
【背景技術】
【０００２】近年、半導体メモリーの集積度が上がり、高容量化したため、従来高画質の動画が長時間保存できなかったが、それが可能になり、小型のデジタルビデオレコーダーが出現するに至った。半導体メモリーは耐環境性や耐振動性に優れ、安価であることから様々な分野で活用することができるが、それを使った防犯用映像録画装置としてコンパクトにし、高性能小型カメラと一体にすることで、簡単に設置できる防犯装置および装飾装置としてアセンブルすることが可能となった。
【発明の概要】
【発明が解決しようとする課題】
【０００３】従来、防犯カメラの設置には、設置場所を選定し、記録装置まで電源とケーブルを引き回す必要があり、また、移設も容易ではなかった。また、移動する車などの画像記録としてはバッテリー容量から高容量ストレージなどでは不可能であった。
【課題を解決するための手段】
【０００４】超小型半導体メモリーデジタルレコーダーと小型カメラを筒状・半球状または箱状のケースに収納することにより、電源さえあれば、据え置くだけでケーブルの引き回しも無く、防犯カメラとして機能させることができる。また、長時間録画および自動上書き機能を付加して事件事故発生時に即座に検索できる装置とした。
【発明の効果】
【０００５】据え置き型または壁面取付けなので、設置場所を選ばずどこへでも置くことができ、上下左右に自在に画角を決めることができる。また、配線工事もまったく不要なので、設置費用は一切不要。録画時間も長時間録画が可能となり自動上書き機能付加で放置したままでも、威力を発揮する。スケジュール録画・アラーム録画・モーション録画の設定ができ、必要な場面だけの録画も可能とした。
従来の防犯装置に比較して画期的に安価に効果を得られることになる。
【図面の簡単な説明】
【０００６】
【図１】筒状のアクリルケースに装填した場合の解説図
【図２】筒状のアクリルケースに装填して製作した装置の図面
【図３】パッケージ装飾印刷（展開図）の例
【発明を実施するための形態】
【０００７】一例として、透明のプラスチック筐体（筒または箱）の中に機器を固定する骨組みを構築し、そこに超小型レコーダーと小型カメラを装填し、レコーダーの受光部・メモリー挿入口およびカメラのレンズ部を露出させる。
また、カメラを赤外線ＬＥＤ搭載にすれば夜間でも効果を発揮し、レンズも広角・望遠などが選定可能。
透明筐体の内側に「防犯カメラ作動中」の文字を記入した独自の装飾図柄を入れ、美観も兼ねた防犯装置とする。図３は装飾図柄の例である。
名称は「防犯缶」「監察缶」「監視缶」などの商標を用いると効果的である
【実施例】
【０００８】効果的な設置場所としては、店舗の商品棚・ショーケースの中・レジスターの周り・銀行の窓口・会社や店舗の受付・タクシーやバスの内部・エレベーター内など事件・事故または誤解の発生しやすい場所が適所である。
【符号の説明】
【０００９】〔図１〕
ａ  筐体
ｂ  小型カメラ
ｃ  集音マイク（カメラに内蔵の場合もある）
ｄ  映像記録装置
ｅ  半導体メディア
ｆ  ＡＣ−ＤＣ変換電源アダプター
ｇ  赤外線制御受光部
ｈ  モニター（オプション）
〔図２〕
ｉ  カメラ
ｊ  マイク
ｋ  出力端子
ｌ  入力端子
ｍ  電源端子
ｎ  映像記録装置
〔図３〕
ｏ  カメラ開口部
ｐ  受光部操作開口部
【図１】
2010206763.tif 000003
【図２】
2010206763.tif 000004
【図３】
2010206763.tif 000005
(57)【要約】【課題】振動エネルギーを効率よく電気エネルギーに変換し発電を行う。【解決手段】本発明の圧電素子１００は、樹脂皮膜２と、樹脂皮膜２の外表面を覆う振動膜２と、樹脂皮膜２の外表面の反対側に積層される多孔質体３とを備えている。【選択図】図１
2010206147.tif 000002
【特許請求の範囲】
【請求項１】
面密度が０．１〜２．０ｋｇ／ｍ２のシリコーンを主成分とする樹脂からなる皮膜と、前記皮膜の外表面を覆うフィルムシート状に形成された高分子材料の振動膜と、前記皮膜の外表面の反対側に積層される多孔質体層とを備えることを特徴とする圧電素子。
【請求項２】
前記振動膜を構成する高分子材料が、ポリ弗化ビニリデンであることを特徴とする請求項１に記載の圧電素子。
【請求項３】
前記多孔質体はグラスウールまたはウレタンフォームであることを特徴とする請求項１または２のいずれかに記載の圧電素子。
【発明の詳細な説明】
【技術分野】
【０００１】  本発明は、振動エネルギーを利用して発電する圧電素子に関するものである。
【背景技術】
【０００２】  圧電素子を用いたクリーンエネルギーを利用した発電が検討されている。一般的な発電方法としては、圧電素子に加えられた振動などの物理エネルギーを電気エネルギーに変化させて発電する方法が知られている。例えば特許文献１には、人や車両や列車などが通過する際の振動により圧電素子から生じた電力で発電する発電システムが記載されている。また、特許文献２には、踏み板にかかる荷重を回転運動に変換し、発電するシステムが記載されている。
【特許文献１】特開２００６−１９７７０４号公報
【特許文献２】特開２００８−２５８３４３号公報
【発明の開示】
【発明が解決しようとする課題】
【０００３】  しかし、これらの方式は振動エネルギーが圧電体や周囲の部材にかかるために、長期使用によりこれらの部材が損傷してしまい、長期間における安定した電力の確保に問題があった。この発明は、上記課題を解決するものであって、振動エネルギーによって皮膜が共鳴し、その共鳴エネルギーが圧電性を有するフィルムにかかることで起電力が発生するころで、電力エネルギーを取り出すことができることを目的としている。また、共鳴する皮膜はクッション性を有する多孔質体に支持されているために、皮膜の劣化が起こらないため安定してエネルギーを取り出すことが可能となる。また、音や振動のエネルギーが電気エネルギーに変換され、消費氏でいるために、同時に防音・防振効果を得ることが可能となる。さらに、振動膜と樹脂膜の面密度と共鳴周波数の間は相関関係があるので、特定の周波数の音や振動を電気エネルギーに変換することが可能であるために、音源や振動源の周波数に応じた変換効率の高い発電を行うことができる。
【課題を解決するための手段】
【０００４】  本発明の第１の態様である圧電素子は、面密度が０．３〜２．０ｋｇ／ｍ２のシリコーンを主成分とする樹脂皮膜と、樹脂皮膜の外表面を覆うフィルムシート状に形成された高分子材料の振動膜と、樹脂皮膜の外表面の反対側に積層される多孔質体とを備えるものである。【０００５】  本発明の第２の態様は、第１の態様である圧電素子において、振動膜を構成する高分子材料がポリ弗化ビニリデンから成るものである。【０００６】  本発明の第３の態様は、第１の態様または第２の態様である圧電素子において、多孔質体がグラスウールまたはウレタンフォームから成るものである。
【発明の効果】
【０００７】  本発明の第１の態様乃至第３の態様の圧電素子によれば、圧電素子を構成する樹脂皮膜の面密度を０．１〜２．０ｋｇ／ｍ２とすることで、３０〜１０，０００ヘルツの範囲の周波数を有する音あるいは振動エネルギーを電気エネルギーに変換し、発電することが可能である。
【発明を実施するための最良の形態】
【０００８】  以下、本発明の実施の形態を、図面を参照しつつ説明する。
図１は本発明の実施の形態にかかる圧電素子の概要を示す図である。図１において１００は圧電素子、１は振動膜、２は樹脂皮膜、３は多孔質体をそれぞれ示している。【０００９】  振動膜１は振動エネルギーがかかると起電力を発生する性質を有する圧電性を有する材料で構成されている。このような性質を有するフィルムとしては厚さが約２０ミクロンのポリ弗化ビニリデンが好適する。この様なフィルムで樹脂皮膜２の害表面を覆うことで、外部から伝播した音あるいは振動のエネルギーによって共鳴現象が生じ、この振動エネルギーによって振動膜１において起電力が発生し、電力エネルギーを取り出すことができる。【００１０】  樹脂皮膜２としてシリコーン樹脂からなるものを使用するのは、シリコーンが０℃〜１００℃の広い温度範囲において柔軟性を保つからである。また、樹脂皮膜の面密度を０．１〜２．０ｋｇ／ｍ２としたのは、皮膜の面密度を共鳴周波数に強い相関性があるためである。皮膜の面密度を小さくすると共鳴周波数が高周波側にシフトし、面密度を大きくすると共鳴周波数が低周波側にシフトする。この範囲で面密度を調整することにより皮膜の共鳴周波数を３０〜１０，０００ヘルツの範囲で自由に調整することが可能となる。【００１１】  多孔質体層３は、クッション性を有する材料で形成されている。具体的には２４ｋｇ／ｍ３のグラスウールで形成されている。なお、多孔質体層３の厚さは５〜２００ｍｍ、望ましくは２５〜１００ｍｍ程度である。【００１２】  ここで、樹脂皮膜２に振動膜１を積層するのは、樹脂皮膜２部分と振動膜１とが一体となり錘の役割として作用し、多孔質体３がバネの役割として作用し、膜振動による共鳴現象を発現させるためである。
【実施例】
【００１３】  以下に、実施例を挙げて本発明をさらに具体的に説明するが、本発明は、その要旨を超えない限りこれらの実施例に限定されるものではない。【００１４】  面密度０．７ｋｇ／ｍ２のシリコーン系の樹脂皮膜２の外表面に厚さ２０ミクロンのポリ弗化ビニリデンからなる振動膜２を形成し、樹脂皮膜２の外表面の反対側に密度２４ｋｇ／ｍ３、厚さ５０ｍｍのグラスウールからなる多孔質体層３を積層し圧電素子１００とした。当該圧電素子の共鳴周波数はおよそ３００ヘルツである。この圧電素子１００に対し、周波数３００ヘルツの振動エネルギーを印加することにより、振動膜１と樹脂皮膜２が一体となって共鳴し、振動膜１に起電力が発生した。本発明の圧電素子により、振動エネルギーを用いて電気エネルギーを取り出せることが分かった。【００１５】  以上から、本発明の圧電素子を用いれば、音や振動などのエネルギーから容易に電気エネルギーを取り出し、発電を行うことができることが分かった。
【産業上の利用可能性】
【００１６】  本発明の圧電素子は、音や振動が発生するところであれば、容易に電気エネルギーを取り出すことができるために、定常的に大きな音や振動エネルギーを発生している場所で、電力を必要としているあらゆる分野に広く一般的に利用されるものである。
【図面の簡単な説明】
【００１７】
【図１】本発明の圧電素子の基本的構造を示す概略図である。
【符号の説明】
【００１８】    １００・・圧電素子
１・・・・振動膜
２・・・・樹脂皮膜
３・・・・多孔質層
【図１】
2010206147.tif 000003
(57)【要約】【課題】より一層の太陽光発電の普及とＣＯ２削減のために施工が簡易で低コストな液体型太陽電池システムを提供する。【解決手段】太陽電池の主原料であるシリコン等を粒子状に微粉化し塗料や防水剤などの溶剤と溶解させることで液体化、同じく電極部分も液体化することによる液体型太陽電池システムを特徴とする。【選択図】図１
2010206145.tif 000002
【特許請求の範囲】
【請求項１】
太陽電池の主原料であるシリコン等を液状溶剤に溶解させ液体化し、簡易に施工できるようにした液体型太陽電池システム
【発明の詳細な説明】
【技術分野】
【０００１】この発明は従来、固体であった太陽電池を液体化した液体型太陽電池システムに関するものである。
【技術背景】
【０００２】従来より太陽電池の形状・材質は固体であり、設置するためには成型加工のうえ、多くの時間と労力を要した。
【発明の開示】
【発明が解決しようとする課題】
【０００３】これは次のような欠点があった。
太陽電池の取り付け・施工時においては、多くの時間と労力を必要とし、また太陽電池の製作コストの面からも現状のどの製造方式においても、まだまだ、高価な費用が必要であり、そのことが太陽光発電の普及の妨げになっている。
本発明は、以上のような欠点をなくすためになされたものである。
【課題を解決するための手段】
【０００４】太陽電池の主たる半導体原料であるシリコン等を粒子状に微粉化し、建材用塗料や防水加工の原料であるウレタン樹脂などの防水剤に溶解させることにより液体化し施工箇所に塗布する。
同じく、導電性の金属粒子を上記溶剤に溶解させた液体型の電極を重ね塗布する。
本発明は、以上の構成よりなる液体型太陽電池システムである。
【発明の効果】
【０００５】従来よりも簡易にしかも、成型加工も不要であらゆる場所に塗布するだけで太陽電池ができ、また防水剤との溶解加工により施工する施設や建造物自体の防水効果も同時に得られる。
これにより、太陽光発電のより一層の普及とＣＯ２の削減、地球温暖化防止の一助ともなる。
【発明を実施するための最良の形態】
【０００６】以下、本発明を実施するための最良の形態について説明する。
太陽電池の主たる半導体原料であるシリコン等を粒子状に微粉化する。
これを建材用塗料や防水加工の原料であるウレタン樹脂などの溶剤に溶解させ液体化する。同じく、電極も導電性の金属を粒子状に微粉化のうえ、上記溶剤に溶解させ液体化する。  施工箇所には、最初に液体化した電極溶剤を塗布し、次に液体化したシリコン溶剤を塗布、最後にもう一度、電極溶剤を重ね塗布し、上下の電極溶剤より配線のうえ電力を得る。
また、蓄電設備の設置により太陽光発電による電力を蓄え、出力を管理、時間帯による電池の蓄電量を最適に制御できるようシステム化する。
本発明は、以上のような構造である。
これを使用するときは、電気を必要とするあらゆる施設や建造物にこの液体型太陽電池を塗布し、それにパワーコンディショナーや蓄電池などの周辺機器を設置することで電力を得られる。
【図面の簡単な説明】
【０００７】
【図１】  本発明の断面図である。
【符号の説明】
【０００８】１    表面電極＋溶剤（塗料又は防水剤）
２    シリコン粒子＋溶剤（塗料又は防水剤）
３    裏面電極＋溶剤（塗料又は防水剤）
【図１】
2010206145.tif 000003
(57)【要約】【課題】実使用上問題の無い発光色のばらつきを持つ照明用白色ＬＥＤパッケージを提供する。【解決手段】実使用上問題の無い範囲の発光色の分類を規定した基準と、照明用白色ＬＥＤパッケージの発光色を測定し、その発光色が先の分類基準のいずれに相当するかを判別するソフトウエアをインストールしたＰＣとで構成される照明用白色ＬＥＤパッケージの色選別システムを用いることにより、実使用上問題の無い発光色のばらつきを持つ一群の照明用白色ＬＥＤパッケージを提供する。【選択図】図３
2010206144.tif 000002
【特許請求の範囲】
【請求項１】
実使用上問題の無い範囲の発光色の分類を規定した基準と、照明用白色ＬＥＤパッケージの発光色を測定し、その発光色が先の分類基準のいずれに相当するかを判別するソフトウエアをインストールしたＰＣとで構成される照明用白色ＬＥＤの色選別システム。
【請求項２】
請求項１に分類基準の一つの範囲が、実使用上問題の無い発光色の範囲となっていることを特徴とする照明用白色ＬＥＤパッケージの色選別システム。
【請求項２】
請求項１に分類基準の一つの名称がその発光色の色温度の数値の一部を用いることを特徴とする照明用白色ＬＥＤパッケージの色選別システム。
【発明の詳細な説明】
【技術分野】
【０００１】本発明は、照明用白色ＬＥＤパッケージの発光色のある一定範囲内の色ごとに選別するシステムに関するものである。
【背景技術】
【０００２】照明用白色ＬＥＤパッケージはその構造上、発光色のばらつきを少なくすることが難しく、白色ＬＥＤパッケージを実際の照明に用いる際にその色のばらつきが問題となっている。白色ＬＥＤパッケージメーカでは、照明用白色ＬＥＤパッケージをある程度の色のまとまりとして出荷されるが、この範囲が実際に許容される色のばらつきの範囲を超えている。【０００３】ＬＥＤパッケージメーカに於いても発光色のばらつきを少なくするための技術開発は進んでおり、その品質は向上しつつある。しかしながらパッケージメーカにて確実に、人間の目にても判別のつかない範囲内の色のばらつきを持った照明用白色ＬＥＤパッケージを低コストにて製造することは困難である。【０００４】また、現実の照明を行う現場に於いて、色のばらつきが押さえられていなければならない用途（たとえば壁面の近傍に設置した照明器具よりその壁面を照射する場合や、一度に視野に入る間隔で並んでいるスポットライトなど）で用いられるＬＥＤパッケージの数は有限である。
【発明の概要】
【発明が解決しようとする課題】
【０００５】照明用白色ＬＥＤパッケージを用いて照明装置を作る際に、実使用上問題のない範囲内に色のばらつきを押さえた照明用白色ＬＥＤパッケージを提供する。
【課題を解決するための手段】
【０００６】照明用白色ＬＥＤパッケージを実際の照明に用いた場合に色のばらつきが問題とならない色の範囲をあらかじめ決め（図１）（図２）、照明用白色ＬＥＤパッケージをプリント基板に実装する前に、色選別システム（図３）にて選別および分類を行い、色のばらつきが問題とならない範囲ごとのまとまりとして照明用白色ＬＥＤパッケージを提供する。
【発明の効果】
【０００７】低コストにて、既存の光源と遜色のない均質性を持った照明光を、照明用白色ＬＥＤパッケージにて得ることが可能となる。
【図面の簡単な説明】
【０００８】
【図１】本発明による照明用白色ＬＥＤパッケージの分類に用いるチャート
【図２】一般に知覚的に等しい色として認識される範囲を示した、ＭａｃＡｄａｍの楕円図
【図３】本発明による照明用白色ＬＥＤパッケージを選別するシステムのブロック図
【発明を実施するための形態】
【０００９】選別すべき照明用白色ＬＥＤパッケージ４を色選別システム内の通電ステージにセットし、１にインストールされている色選別ソフトを動作させ、５より所定の電流を流し被験ＬＥＤパッケージを発光させる。その発光した光を３にて測定し、その測定値を元に１にインストールされているソフトにて、図１にてあらかじめ区別されているどの色に相当する光なのかを判断し、２に表示する。作業者はその表示に従い６の収納用トレイに選別したＬＥＤパッケージを収納する。たとえばこの一連の被試験ＬＥＤのハンドリングに関しては自動機を使うことも望ましい。
【符号の説明】
【００１０】１．発光色選別専用ソフトがインストールされたＰＣ
２．表示装置
３．発光色測定装置
４．被試験照明用白色ＬＥＤパッケージ
５．被試験照明用白色ＬＥＤパッケージ点灯用電源
６．照明用白色ＬＥＤパッケージ収納トレイ
【図１】
2010206144.tif 000003
【図２】
2010206144.tif 000004
【図３】
2010206144.tif 000005
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
実使用上問題の無い範囲の発光色の分類を規定した基準と、照明用白色ＬＥＤパッケージの発光色を測定し、その発光色が先の分類基準のいずれに相当するかを判別するソフトウェアをインストールしたＰＣとで構成される照明用白色ＬＥＤの色選別システム。
【請求項２】
請求項１に分類基準の一つの範囲が、実使用上問題の無い発光色の範囲となっていることを特徴とする照明用白色ＬＥＤパッケージの色選別システム。
【請求項３】
請求項１に分類基準の一つの名称がその発光色の色温度の数値の一部を用いることを特徴とする照明用白色ＬＥＤパッケージの色選別システム。
(57)【要約】【課題】  猫トイレ使用後、足についた砂を軽減するために猫トイレケースの出入り口に設けた、砂散乱防止用具を提供する。【解決手段】  猫トイレケースの出入り口に固い土台を嵌め込み、全面に毛足部を設けた柔軟なマット部を土台の上に敷き、猫トイレケースの出入り口を覆うようにカーテンを設けたことを特徴とした猫トイレ砂散乱防止用具。【選択図】図４
2010166895.tif 000002
【特許請求の範囲】
【請求項１】
猫トイレケースの出入り口に固い土台の嵌めこみ部を差しこみ、猫トイレケースに切れ込み部を嵌めこみ、全面に毛足部を設けた柔軟なマット部を土台の上に敷き、猫トイレケースの出入り口を覆うようにカーテンを設けたことを特徴とした猫トイレ砂散乱防止用具。
【発明の詳細な説明】
【技術分野】
【０００１】  本発明は、猫トイレの砂の散らかりを、少しでも減らすための散乱防止用具である。
【背景技術】
【０００２】  従来、猫トイレの砂の散らかり用具は、敷きマットはあるがそれでは十分でなかった。
【発明の開示】
【発明が解決しようとする課題】
【０００３】  従来、次のような問題点があった。
（イ）砂が広く散らかったのを片付けるのが大変だった。
（ロ）簡単に使用できるものがほしかった。
本発明は、以上の問題点を解決するためのものである。
【課題を解決するための手段】
【０００４】    猫トイレケースの出入り口に固い土台の嵌め込み部を差しこみ、猫トイレケースに切れ込み部を嵌め込み、全面に毛足部を設けた柔軟なマット部を土台の上に敷き猫トイレケースの出入り口を覆うようにカーテンを設ける。以上を特徴とした猫トイレ砂散乱防止用具である。
【発明の効果】
【０００５】  本発明は、猫トイレ出入り口の砂落としマットの上を飛び越えさせるのではなく、乗り越えさせるよう仕向けるためにカーテンを設け、足についた砂をマットで減少させる、カーテンを付けることで臭い漏れも軽減し、清潔綺麗。
【発明の実施するための最良の形態】
【０００６】  以下、本発明の形態を説明する。
（イ）  ケース  （７）  の出入り口  （８）  に固い土台  （１）  の嵌め込み部  （２）  を差しこみ猫トイレケース  （７）  を切れ込み部  （３）  に嵌め込む。
（ロ）全面に毛足部  （５）  を設けた柔軟なマット部  （４）  を土台  （１）  の上に敷く。
（ハ）猫トイレケース  （７）  の出入り口  （８）  を覆うようにカーテン  （６）  を設ける。
本発明は、以上の構成よりなっている。
本発明を使用するときは、猫が砂落とし用のマット部  （４）  を飛び越さず、必ずマット部  （４）  を歩いて、足についた砂を毛足部  （５）  で除去させる為に、出入り口  （８）  にカーテン  （６）  を設ける。カーテン  （６）  は同時に猫トイレケース  （７）  の中の臭い漏れも軽減する。
【図面の簡単な説明】
【０００７】
【図１】本発明の分解斜視図
【図２】本発明の分解斜視図
【図３】本発明の斜視図
【図４】本発明の使用状態を示す斜視図
【符号の説明】
【０００８】      １  土台
２嵌め込み部
３切れ込み部
４マット部
５毛足部
６カーテン
７猫用トイレケース
８出入り口
【図１】
2010166895.tif 000003
【図２】
2010166895.tif 000004
【図３】
2010166895.tif 000005
【図４】
2010166895.tif 000006
(57)【要約】【課題】カニを生のまま、もしくは茹でた後、乾燥し粉砕してパウダーにしても、短期間で酸化劣敗が進み異臭を発生するようになるなど品質の安定性に問題があった。又、出来上がったパウダーも、カニ独特の赤味が退色したり、カニの部位によっては乾燥により黒変するため、パウダーの色合いに影響を与える等の課題があった。【解決手段】酸化劣敗が進み異臭を発生する原因は中腸腺（カニミソ）と呼ばれる部位と、エラである事を突き止めこれらを取り除くことで解決した。又、生のカニが乾燥により黒変する部位は甲羅の裏にある皮膜であるので、取り除くか茹でてから乾燥する事で、色合いへの影響が低減した。更に、カニ独特の赤身が退色する問題は乾燥温度の調整で解決した。【特許請求の範囲】
【請求項１】
ズワイガニ本体から中腸腺（カニミソ）及びエラを取り除くと共に、甲羅は裏にある皮膜を取り除くかそのまま茹でた後、それらを乾燥し粉砕して得られるズワイガニパウダーとその製造方法。
【発明の詳細な説明】
【技術分野】
【０００１】本発明は、カニ風味豊かで品質安定なカニパウダーとその製造方法に関するものである。
【背景技術】
【０００２】通常、その物をパウダー化する場合、乾燥し粉砕器で粉砕するのが一般的である。
しかしその物に適した乾燥方法や粉砕方法があり、それを逸脱すると目的とするパウダーが得られない場合がある。
【先行技術文献】
【特許文献】
【０００３】特許出願にあたり先行技術等調査した結果、カニパウダーの製造に関わる技術文献は特に見あたらなかった。
【発明の概要】
【発明が解決しようとする課題】
【０００４】カニに含まれる成分を分析すると、ベニズワイガニの場合、キチン・キトサンが１１．７％、タンパク質が４８．３％、カルシウムが１０．６％と健康的に有効な成分が多く含まれていることが分かった。更にカニ独特の赤い色素はアスタキサンチンで、これも抗酸化物質として注目されている物質である。微量元素としてセレン，亜鉛などの存在も特徴的である。
一口サイズの小さなカニは茹でたり油で揚げたりして丸ごと食することが出来るがズワイガニ等の大きなカニを食する場合、殻は除き中身のみ食するのが一般的である。つまり殻に含まれる有用成分は、加工しない限り食用にすることは出来ない。【０００５】そこでズワイガニ等の大きなカニでも成分丸ごと摂取出来るようパウダー化の研究に取り組んだ。
通常、パウダーを製造する場合はカニを茹でて、あるいはそのまま生を丸ごと乾燥し粉砕してパウダーにすると云うのが一般的な方法である。しかし実際に試作してみると、両方の方法では短期間（数週間）で異臭が発生したり、カニ独特の赤味（アスタキサンチン）が薄れたパウダーしか出来なかった。【０００６】まず、ベニズワイガニを水洗いし、茹でたカニと生のカニとを１００℃で１２時間から１５時間かけて乾燥した。それを微粉砕器でパウダー化したが、得られたパウダーは、時間の経過と共に異臭を発するようになるし、カニ独特の赤味が薄れた物しか出来なかった。
そこで原因を究明すべく、実験を繰り返した結果、異臭を発する原因は中腸腺（カニミソ）にある事を突き止めた。又、甲羅の裏に密着している皮膜が黒変しパウダーの色合いに影響を与えている事も分かった。エラも海底の泥を含んでいる為、風味に悪影響を及ぼす事も分かって来た。
【課題を解決するための手段】
【０００７】これらの課題を解決するためには、中腸腺（カニミソ）、エラ、甲羅の裏にある皮膜を取り除く事で解決した。甲羅の裏の皮膜は茹でてから乾燥すると黒変しないのでその選択肢もある。
中腸腺（カニミソ）は、カニの風味を助長すると思っていたが、中腸腺（カニミソ）のみを乾燥してみると乾燥物は殆ど無味無臭で、カニパウダーに風味を助長する物であるとは認められなかった。【０００８】１００℃の乾燥温度では、若干、赤味が色褪せする事も分かり、８０℃前後で乾燥するとかなり赤味が残ったままでパウダーにすることが出来た。
【発明の効果】
【０００９】中腸腺（カニミソ）とエラを取り除くことでパウダー化した時の経時による酸化劣敗と異臭の発生が押さえられ、甲羅の裏の皮膜は取り除くか茹でた後、乾燥する事で黒変を防止でき品質安定で風味と色合いの良いカニパウダーが得られるようになった。保存して１年経過しているパウダーに特に変化は見られない。
【発明を実施するための形態】
【００１０】ズワイガニ等から風味や色合いの良い品質安定なパウダーを製造する場合、まず水洗いした後、甲羅を開き中腸腺（カニミソ）とエラを取り除く。
そして甲羅の裏は皮膜を取り除くか、そのまま茹でる。そしてそれらを恒温乾燥器で乾燥する。温度は、赤味を残すためには８０℃前後が最良である。
【実施例】
【００１１】８０℃で１２時間から１５時間乾燥した後、市販の微粉砕器でパウダー化すると、ズワイガニ独特の薄いピンク色のパウダーが出来た。
１年以上経過した後でも、風味、色合い共、変化する事なく保存できている。
【産業上の利用可能性】
【００１２】試作したカニパウダーは、健康食品としてそのまま摂取しても良いが、食品に練り込むなどしてカニ風味を楽しむことが出来る。
例えば、ソフトクリームに入れてカニソフト、ウドンに練り込みカニウドン、更にモチに入れてカニモチの他、カニパウダーを入れたチョコケーキ等は、意外性と美味しさが受け商品化が進んでいる。【００１３】調味料としても、食塩とブレンドしたカニ塩は、焼き鳥などに使用すると香ばしさが増すし、干しホタテ貝等と共にダシを取ると、初めて味わう美味なダシになる。
又、耳かき一杯程度のカニパウダーを日本酒に入れるとカニ風味豊かなカニ酒になるなど、用途は限りない。【００１４】含まれるカルシウム等も多いので、幼犬、幼猫のペット食品にも利用可能である。
又、農業において実際にカニの殻が肥料として使われる例も多く、このカニパウダーと活性炭などとの併用により無農薬で安心安全かつ収穫増・旨味増の付加価値のついた農産物の生産が可能である。
(57)【要約】      （修正有）【課題】猫の侵入を防ぐために、薬剤による人間・草木への副作用、音波による聴覚障害、トゲ状の物による人間・猫の怪我等の困った作用を起こさないようになされたものである。身の危険を感じたとき、安全確保を最優先に行動する猫の本能を利用した、安全で安価で簡単に使用できる猫侵入防止具を提供する。【解決手段】側（２）に脚（１）を取付けて、猫の足が容易に入る目の網（３）を浮かせているので、ここに猫が入り、身の危険を感じても、走って逃げることができず、２度と入って来なくなる。【選択図】図１
2010166893.tif 000002
【特許請求の範囲】
【請求項１】
猫が走ることが出来ないように、猫の足が容易に入る大きさの目の網を浮かせて取り付けた猫侵入防止具。
【発明の詳細な説明】
【技術分野】
【０００１】  この発明は、猫に入られたくない場所に置く網目の猫侵入防止具に関するものである。
【背景技術】
【０００２】  従来、猫の侵入を防ぐために、猫の嫌いな臭いや音波・トゲ状のもの・センサー付き水掛機等、多くの侵入防止策がなされているが、すぐに慣れてしまったり、猫に傷をつけてしまったり、悪臭や水を浴びる等、人間そのものにも害を与えたりと、どれも満足できるものではなかった。水入りペットボトルに至っては、太陽光とレンズ状になったボトルとで、火災発生の事例まである。
【発明の開示】
【発明が解決しようとする課題】
【０００３】  この発明は、猫の侵入を防ぐために、薬剤による、人間・草木への副作用、音波による聴覚障害、トゲ状の物による、人間・猫の怪我等の困った作用を起こさないようになされたものである。身の危険を感じたとき、安全確保を最優先に行動する猫の本能を利用した、安全で安価で簡単に使用できる猫侵入防止具を提供しようとするものである。
【課題を解決するための手段】
【０００４】  いま、これを図面について説明すれば、
▲１▼  側（２）に脚（１）を取り付けて、網（３）を浮かせて取り付ける。
▲２▼  図２に網（３）がないのは、側（２）を置く場所に合わせて自由に変形させられるためである。網（３）は形状決定後に取り付ければよい。
▲３▼  網（３）の網目は、猫の足が容易に入る大きさであれば何形でもよい。
▲４▼  脚（１）の本数は、網を浮かせられれば何本でもよい。
本発明は、以上の構成よりなる猫侵入防止具である。
【発明の効果】
【０００５】  この発明は、猫が身の危険を感じたときの安全確保最優先の本能を利用したものであり、危険を感じたその時には、手足の動きを制限されるので、そのような自由に走れない場所は避けて、入らないことになる。薬剤も電気も水も使わないので、安全で安価である。使用法も簡単で長期間使用できる。花壇の中に置いても細いので美観を損なわず、草木への害もない。
【発明を実施するための最良の形態】
【０００６】以下、本発明を実施するための最良の形態について説明する。
側（２）に脚（１）を取付けて網（３）を浮かせて取付ける。網（３）の目は猫の足が容易に入る大きさの網目とする。側（２）の形は四角でも丸でも限定しない。本発明は以上のような構造である。
これを使用するときは、猫に入られたくない場所や、その廻りに猫が飛び越えられないように置く。塀の上には塀の幅に合わせた細長いものを取付ける。
身の危険を感じた時、走って逃げようとしても、手足の動きを制限されて、走ることのできない場所にすることで、猫の侵入を防止する。
【図面の簡単な説明】
【０００７】
【図１】  本発明の斜視図１である。
【図２】  本発明の斜視図２である。
【符号の説明】
【０００８】  １  脚
２  側
３  網
【図１】
2010166893.tif 000003
【図２】
2010166893.tif 000004
(57)【要約】【課題】根菜類などの食品が体に良いと解っていても美味い部類に入らず毎度たべるに耐えない。【解決手段】根菜類などの成分を取り出し錠剤かドリンクにする。【特許請求の範囲】
根菜類  （大根、玉葱、人参、ニンニク、ジャガイモ、筍、ショウガ、ワサビ、）  等を煮て取り出した成分と牛乳、チョコレート、魚卵、の成分を合わせて
栄養補助剤を作る事
【発明の詳細な説明】
【技術分野】従来アンチエイジングに必要な物を具体的に何と特定する事は無かったのでそれを明らかにしたものです。
【背景技術】従来目に良いとか肌に良いとか部分的な栄養補助剤は有ったがアンチエイジングに良いと特定した栄養補助剤はなかった。
【発明の開示】
【発明が解決しようとする課題】人間の命を伸ばすのはむずかしいがあえてそれを解明しました。
【課題を解決するための手段】根菜類及び前述の食品を摂ると血流が改善され体全体に栄養が行きわたります。
(57)【要約】      （修正有）【課題】非鉄製錬、電子部品などリサイクル原料の溶融炉、産業廃棄物を溶融処理する乾式炉より発生する乾式煙灰中のＰｂの回収において、煙灰を処理して得られた電解処理用の高Ｂｉ品位のアノードに対しても高純度の鉛を回収することができる鉛の電解方法を提供する。【解決手段】Ｂｉ品位が５から３０ｍａｓｓ％の高不純物アノードをアンチモン品位が１から３ｍａｓｓ％になるように調整した後、電解処理し、高純度の鉛を回収する鉛の電解方法。【選択図】図１
2010222628.tif 000002
【特許請求の範囲】
【請求項１】
Bi品位5から30
mass％の高不純物アノードにアンチモン品位が1〜3 mass％になるように調整した後、電解処理し、高純度の鉛を回収することができることを特徴とする鉛の電解方法。
【請求項２】
上記請求項１の電解処理が、電流密度100A/m2以下で通電することを特徴とする鉛の電解方法。
【発明の詳細な説明】
【技術分野】
【０００１】
本発明は、非鉄製錬、基盤や電子部品などリサイクル原料の溶融炉、及び産業廃棄物を溶融処理する乾式炉より発生する乾式煙灰中に含まれているPbを回収する方法に関する。
【背景技術】
【０００２】
非鉄製錬、基盤や電子部品などリサイクル原料の溶融炉、及び産業廃棄物を溶融処理する乾式炉より非鉄製錬の乾式煙灰中に含まれているPbを回収するため、煙灰を硫酸浸出し、硫酸鉛にした後、電気炉で溶融還元を行う。溶融還元により分離されたメタルをソーダ処理し、その後、メタルをアノード鋳造した後、珪フッ素酸浴中にて電解精製することでPbを回収している。
特許文献1に関しては、高Bi品位のアノードに対して、スルファミン酸浴により高純度の電着鉛を回収している。
【０００３】
特許文献１において、最適な電流密度として、50A/m2以下としている。しかし、鉛の回収量を増加するためには、電槽の槽数を増加するなど設備投資をする必要があることから、更に最適な電流密度を上げることが望まれる。
【特許文献１】整理番号T21-0202  鉛の電解方法    出願人：日鉱金属株式会社
【発明の開示】
【発明が解決しようとする課題】
【０００４】
従来の技術に対して、高Bi品位のアノードに対しても高純度の鉛を回収することができる鉛の電解方法を提供することを目的とする。
【課題を解決するための手段】
【０００５】
本発明者等は、上記の課題を解決するため以下の発明を成した。
（１）Bi品位5から30 mass％の高不純物アノードにアンチモン品位が1〜3 mass％になるように調整した後、電解処理し、高純度の鉛を回収することができる鉛の電解方法。
【０００６】
（２）上記（１）記載の電解処理が、電流密度100A/m2以下で通電する鉛の電解方法。
【発明の効果】
【０００７】
本発明によれば、高Bi品位の鉛アノードから効率よく、更に設備投資することなく、Bi品位が極めて低い高純度の鉛を回収することができることを特徴とする鉛の電解方法を見出した。
【発明を実施するための最良の形態】
【０００８】
以下に本発明をさらに詳細に説明する。
原料は、本発明の鉛含有物は、鉛：70〜90mass％、錫：0.04mass％、ビスマス：5〜30mass％含有する。
【０００９】
例えば、上記鉛含有物を、アノード鋳造をし、そのアノードを用いて電解精製を行う。アノードのサイズとしては、カソードのサイズに比べ小さくすることで、エッジ効果を防ぐことができ、平滑で良好な電着鉛を回収することができる。
【００１０】
電解液として、スルファミン酸の濃度は、20〜100g/L、鉛濃度は、20〜100g/Lが最適である。更に平滑剤としては、ノイゲン  BN-1390、または、ノイゲン  BN-2560を1〜10mg/Lで、電流密度を100A/m2以下で通電することで、平滑で良好な電着鉛を回収することができる。
【００１１】
次にアノード中のBi品位が21％に対して、アノード中のアンチモン品位と電着鉛中のBi品位の関係を確認した結果、図1に示す通り、アノード中のアンチモン品位が1〜3％になるように調整後、通電処理することで、低Bi品位の電着鉛を回収することができる。
３mass％より多く添加した場合、殿物が硬く、厚い層ができるため、アノード電位が上昇し、不純物が溶出する恐れがある。
【実施例】
【００１２】
（実施例１）  低Bi品位の電着鉛を回収する方法
高Bi品位の鉛原料（２０mass％Ｂｉ含有）にアンチモン品位が2％になるように調整後、アノードを鋳造する。そのアノードとカソードとして、ステンレス板を交互に電槽に装入する。カソードの大きさは、アノードに対して、20〜30mm程度大きくした方が、エッジ部への電流集中を緩和することができ、最適である。
電解液の組成として、鉛濃度：80g/L、スルファミン酸濃度：20g/Lに調整した溶液に平滑剤としてノイゲンBN-1390を10mg/Lになるように添加する。
電極装入後、電槽内に電解液を補充し、電解液の電槽内滞留時間が1h程度になるように給液することで、電槽内の濃度分布を均等にする。
電解液の液温を、20〜30℃に調整後、電流密度を100A/m2で通電することで、低Bi品位が、10mass
ppm以下の電着鉛を回収することができる。
【図面の簡単な説明】
【００１３】
【図１】本発明の一態様であるアノード中のアンチモン品位と電着鉛中のBi品位（単位：massppm）の関係
【図１】
2010222628.tif 000003